(57)【要約】【課題】  この考案は、各種企業が社屋の内外に掲示する企業名・標章などの表示事項を記載した看板の製作を容易にする看板発注用伝票に関する。【解決手段】  標記事項が文字と図形とから成り、且つその記載文字数・図形の大きさが定まった看板（２）の製作を依頼する発注伝票（１）の、看板に配する図形・文字・余白の各部（３）（４）のプロポーション比を構成する横幅値及び縦幅値からなる寸法割合を、それぞれ演算式として複数用意し、その複数用意した演算式を用紙の枠内に配したマス目の縦軸及び横軸にそれぞれ記入した演算一覧表（５）を記載するとともに、演算式により算出された数値を記入する寸法記入欄（６）及び看板の基板内に描写される図形又は文字などの標記事項の大きさの配置割合をレイアウトした図面を併記した看板発注用伝票用紙に形成する。【選択図】  図１
0003109577.tif 000002
【実用新案登録請求の範囲】
【請求項１】
標記事項が文字と図形とから成り、且つその記載文字数・図形の大きさが定まった看板の製作を依頼する発注伝票の、看板に配する図形・文字・余白の各部のプロポーション比を構成する横幅値及び縦幅値からなる寸法割合を、それぞれ演算式として複数用意し、その複数用意した演算式を用紙の枠内に配したマス目の縦軸及び横軸にそれぞれ記入した演算一覧表を記載するとともに、演算式により算出された数値を記入する寸法記入欄及び看板の基板内に描写される図形又は文字などの標記事項の大きさの配置割合をレイアウトした図面を併記した伝票用紙に形成したことを特徴とする看板発注用伝票。
【考案の詳細な説明】
【技術分野】
【０００１】
この考案は、各種企業が社屋の内外に掲示する企業名・標章などの表示事項を記載した看板の製作を容易にする発注伝票に関する。
【背景技術】
【０００２】
従来から様々な内容を表示した広告板、看板等の標示物が屋内外に設置されている。昨今銀行、保険会社、証券会社をはじめ種々の法人の合併や統合の結果、新規企業のイメージを印象づけるために、企業名やロゴマークを変更し新たに制定した企業名やロゴマークを表示した新規の看板等の表示物を、企業の社屋の屋上、入口上壁、側壁、屋内の顧客通路、出入り口等に新たに製作掲示する必要がある。
【０００３】
これら新規看板の製作は、掲示場所によって看板の大きさが異なり、従って、看板に描く図形や文字及び余白部の縦横の割合比が異なるので、看板業者は、大きさの異なる看板に配置する文字やロゴマーク及び余白の大きさを決めるのに、永年の経験と勘に頼っての作業となっている。
【０００４】
また、この新掲示内容を表示してなる新看板の掲示場所が、その企業の地方の新規に開店した支店などの場合に、本社からの看板の発注は、その支店の所在地で営業している看板製造業者等に発注するのが普通である。
【０００５】
このような場合、受注者である企業の支店が所在する地方の看板業者と、新規企業の本店側の看板発注者とが直接面談して、看板を発注する企業の担当者の熟練と勘によって、大きさが異なる看板の表示事項である企業名・標章などの寸法を特定し、看板製造業者にいちいち指示しなければならない問題がある。
【０００６】
従って、看板発注者の高度な熟練と受注者と面接する際のその間の交通費と長時間の面接時間を要しその煩わしさがコスト高となる。
特に企業が合併して商号が変更され、新企業名や新サービスマークが採用されるとるとその合併された企業に属する店舗数も多くなるので、新しく変更され用意される看板の数も膨大となりさらに種類も多くなる問題もある。
これらの課題を解決するために、本願人は、先に演算表を用いた看板を作成する方法及び看板の標準化用伝票を提案した。（特許文献）
【特許文献１】特開２００１−１６６９５号
【特許文献２】実用新案登録第３０７８６５１号
【考案の開示】
【考案が解決しようとする課題】
【０００７】
上記の考案は、看板の縦横大きさやプロポーション比が変わっても、その看板の表示事項をレイアウトするに要する図形・文字の寸法を特定する際、その都度注文者とが直接面接しなくても済むようにして、看板の製作費を低減するしようとするものである。
看板の縦横の大きさなどプロポーション比が種々異なっても、統一された図形・文字のプロポーションからなる看板を受注者が容易製作できるようにした看板製作依頼用の伝票を得られるようにしたものであるが、この考案は、さらに使い勝手の良い看板作成用の発注伝票を提供しようとするものである。
【課題を解決するための手段】
【０００８】
この考案は上記の課題を解決するために、表示事項が図形と文字とから成る看板の製作に用いる依頼伝票を、看板に配する図形・文字及び余白の各部のプロポーション比を構成する横幅値及び縦幅値からなる各寸法割合を数値化表示した伝票とした看板発注伝票としたことである。
また、看板に配する図形・文字及び各余白部の寸法割合の数値化表示が演算式で表示されている看板発注用伝票としたことである。
【０００９】
さらに、標記事項が文字と図形とから成り、且つその記載文字数・図形の大きさが定まった看板の製作を依頼する発注伝票の、看板に配する図形・文字・余白の各部のプロポーション比を構成する横幅値及び縦幅値からなる寸法割合を、それぞれ演算式として複数用意し、その複数用意した演算式（方程式）を枠内にマス目を配し、該マス目の縦軸及び横軸にそれぞれ記入して演算一覧表とするとともに、演算式により算出された数値を記入する寸法記入欄と、看板の基板内に描写される標記事項である図形又は文字の大きさの配置割合をレイアウトした図面を、用紙内に併記した伝票用紙に形成した看板発注用伝票である。
【考案の効果】
【００１０】
この考案は上記のとおりであるから看板の縦横の幅が代わっても、その看板の表示部の寸法を特定する際、そのたび毎に発注者と直接面接しなくてもすむので、面接時間などの煩わしさを省略し、看板の製作コストを下げることができる。
【００１１】
看板の取付るのに適した大きさを発注者が決めれば、看板の大きさに基づいて標準化された標示物の寸法を互いに異なる受注者でも容易に得られるようにすることができる。
【考案を実施するための最良の形態】
【００１２】
この発明の実施の形態を以下の実施例に基づいて説明する。
【実施例】
【００１３】
この考案の１実施例を図面に基づき説明する。
図１はこの考案の看板発注用伝票の正面図、図２は同使用状態を示す図であり、看板発注用伝票１は、看板の標示事項である図形部３、文字部４及び余白部を記載した看板２の標示事項を記載した用紙に、標記事項の図形・文字・余白の各部の寸法割合を算出する方程式からなる演算一覧表５と、該演算一覧表に基づいて算出された数値を記入する寸法記入欄６を記載した用紙に形成する。なお、寸法記入欄６は図では２欄設けてあるが、これに限定されるものではない。
【００１４】
看板見本２の標示事項である図形部スペースＡは前余白Ｃ＋図形Ｄ＋後余白Ｅ，文字部スペースＢは前余白Ｆ＋文字Ｇとからなり、余りは後余白とし、上記各部寸法を算出する演算式をマス目にそれぞれ記入表記して演算一覧表５とする。そして、この演算一覧表５は縦型看板用と横型看板用とに用途別に表記されている。
【００１５】
また、寸法記入欄６には、看板の型式及び看板の縦横のサイズ及びプロポーション比の記入欄を設け、求めたプロポーション比から、演算表のプロポーション欄から、プロポーション比の該当欄を見出し、演算式（方程式）により求められた数値を寸法記入欄６のＡ〜Ｇの各欄に記入し、その数値をもとに看板を製作する。
【００１６】
この考案の使用例を図２により説明する。発注者から看板見本２が記載された看板発注伝票１を渡された看板業者は、取り付ける看板プロポーション比が５：１の長さが縦３０００mm、横が６００mmの縦長長方形と定まった場合に、看板業者は看板の看板発注伝票１のタテ型欄のプロポーション欄の比率１：4.0〜6.0未満の欄に該当することを見いだし、看板の図形部スペースＡの広さの算出式が、プロポーション比Ｘの関数で示した演算式22.5x+3、文字部スペースＢの演算式77.5x−３であることを見いだす。
この演算式に、先に決定したプロポーション比５：１からＸ＝５を適用し、これを計算すると22.5×５＋３＝115.5％、これに横幅の実数寸法の６００mmを乗じて文字部スペースＡの寸法を６９３mmと決定する。
また、文字部スペースＢは演算式77.5x−３にプロポーション比Ｘ＝５を適用計算し、384.5％を算出し、これに横幅の実数寸法６００mmを乗じ文字部スペースＢの寸法を２３０７mmと決定する。
この様にして、図形部スペースＡを構成する図形前余白Ｃ・図形Ｄ・図形部後余白Ｅ及び文字部スペースＢを構成する文字部前余白Ｆ・文字Ｇのそれぞれを計算し、算出した数値を寸法記入欄６に記入し、看板をその寸法に基づいて製作するので、看板の縦横大きさやプロポーション比が変わっても、簡単に製作できる。
【図面の簡単な説明】
【００１７】
【図１】この考案の看板発注用伝票の正面図である。、
【図２】図２は同使用状態を示す図である。
【符号の説明】
【００１８】
１  看板発注用伝票
２  看板見本
３  図形部
４  文字部
５  演算一覧表
６  寸法記入欄
【図１】
0003109577.tif 000003
【図２】
0003109577.tif 000004